(57)【特許請求の範囲】
【請求項１】
他の通信先との間で通話およびデータによる通信を行う通信部と、
文字を入力する入力部と、
機能を起動する起動部と、
前記通信部により所定の通信先との間で通話が継続している状態で、前記入力部により文字が入力文字として入力された後に、所定の機能が選択されると、前記入力文字を入力させた状態で前記起動部により前記所定の機能を起動させる制御部と、
を備え、
前記所定の機能は、入力された入力文字に基づく処理が可能な複数の文字入力機能の中から選択された機能であり、
前記制御部は、前記通信部により通信を行う通信先に応じて前記複数の文字入力機能自体のいずれか又は全てを変更させる電子機器。
【請求項２】
前記所定の機能は、所定のデータを検索するための検索機能であり、
前記制御部は、前記入力文字を入力させた状態で前記起動部により前記検索機能を起動させることにより、前記入力文字に基づいた検索を行わせると、検索結果を前記通信部により通信を行う前記所定の通信先に送信するように前記通信部を制御する請求項１に記載の電子機器。
【請求項３】
前記制御部は、前記検索機能により検索されたデータの種類に応じて、前記検索結果をそれぞれ異なる形式に変換して前記所定の通信先に送信するように前記通信部を制御する請求項２に記載の電子機器。
【請求項４】
操作部を備え、
前記入力部は、前記操作部の操作にしたがって文字を入力文字として入力する請求項１乃至３のいずれか一項に記載の電子機器。
【請求項５】
前記通信部により行われる通話の通話内容を音声認識して文字に変換する音声認識変換部を備え、
前記入力部は、前記音声認識変換部により変換された文字を入力文字として入力する請求項１乃至３のいずれか一項に記載の電子機器。
【請求項６】
前記音声認識変換部により変換された文字を形態素解析して単語を抽出する抽出部を備え、
前記入力部は、前記音声認識変換部により変換された文字のうち、前記抽出部により抽出された単語を入力文字として入力する請求項５に記載の電子機器。
【請求項７】
表示部と、
前記表示部に表示されている表示と同一の表示を前記通信部により通信を行う前記所定の通信先の電子機器が備える通信先表示部に連携して表示させる連携部と、を備え、
前記制御部は、前記通信部により前記所定の通信先との間で通話が継続している状態で、前記入力文字が入力された後に前記所定の機能が選択されて前記表示部に前記所定の機能が選択されたことに基づく表示が表示された場合に、前記所定の通信先の電子機器が備える前記通信先表示部に前記所定の機能が選択されたことに基づき、所定の機能に関する情報のみを表示させるように前記連携部を制御する請求項１乃至６のいずれか一項に記載の電子機器。
【請求項８】
他の通信先との間で通話およびデータによる通信を行う通信工程と、
文字を入力する入力工程と、
機能を起動する起動工程と、
前記通信工程により所定の通信先との間で通話が継続している状態で、前記入力工程により文字が入力文字として入力された後に、所定の機能が選択されると、前記入力文字を入力させた状態で前記起動工程により前記所定の機能を起動させる制御工程と、
を備え、
前記所定の機能は、入力された入力文字に基づく処理が可能な複数の文字入力機能の中から選択された機能であり、
前記制御工程は、前記通信工程により通信を行う通信先に応じて前記複数の文字入力機能自体のいずれか又は全てを変更させる電子機器の制御方法。
【請求項９】
他の通信先との間で通話およびデータによる通信を行う通信工程と、
文字を入力する入力工程と、
機能を起動する起動工程と、
前記通信工程により所定の通信先との間で通話が継続している状態で、前記入力工程により文字が入力文字として入力された後に、所定の機能が選択されると、前記入力文字を入力させた状態で前記起動工程により前記所定の機能を起動させる制御工程と、をコンピュータによって実現するための制御プログラムであって、
前記所定の機能は、入力された入力文字に基づく処理が可能な複数の文字入力機能の中から選択された機能であり、
前記制御工程は、前記通信工程により通信を行う通信先に応じて前記複数の文字入力機能自体のいずれか又は全てを変更させる制御プログラム。
【発明の詳細な説明】
【技術分野】
【０００１】
本発明は、文字を入力する電子機器、その制御方法及び制御プログラムに関する。
【背景技術】
【０００２】
従来、携帯電話等の電子機器は、表示部に待ち受け画面が表示されている状態で、いわゆるテンキーを操作すると、操作されたテンキーに割り当てられた文字を入力して、表示部に表示していた。そして、このような電子機器は、文字が入力された状態で、ユーザが所望の機能を選択すると、選択された機能について入力された文字を入力させた状態で起動させていた（例えば、特許文献１参照）。
【先行技術文献】
【特許文献】
【０００３】
【特許文献１】特開２００７−２００２４３号公報
【発明の概要】
【発明が解決しようとする課題】
【０００４】
しかし、特許文献１に記載の電子機器は、待ち受け画面が表示されている状態で入力された文字を利用してアプリケーション等の機能を起動することが前提となっており、通話中に入力された文字を利用して機能を起動させるものではなかった。
【０００５】
本発明は、通話中に入力された文字を利用して機能を起動させることができる電子機器、その制御方法及び制御プログラムを提供することを目的とする。
【課題を解決するための手段】
【０００６】
本発明に係る電子機器は、上記課題を解決するために、他の通信先との間で通話による通信を行う通信部と、文字を入力する入力部と、機能を起動する起動部と、前記通信部により所定の通信先との間で通話が継続している状態で、前記入力部により文字が入力文字として入力された後に、所定の機能が選択されると、前記入力文字を入力させた状態で前記起動部により前記所定の機能を起動させる制御部と、を備える。
【０００７】
また、前記所定の機能は、所定のデータを検索するための検索機能であり、前記制御部は、前記入力文字を入力させた状態で前記起動部により前記検索機能を起動させることにより、前記入力文字に基づいた検索を行わせると、検索結果を前記通信部により通信を行う前記所定の通信先に送信するように前記通信部を制御することが好ましい。
【０００８】
また、前記制御部は、前記検索機能により検索されたデータの種類に応じて、前記検索結果をそれぞれ異なる形式に変換して前記所定の通信先に送信するように前記通信部を制御することが好ましい。
【０００９】
また、前記電子機器は、操作部を備え、前記入力部は、前記操作部の操作にしたがって文字を入力文字として入力することが好ましい。
【００１０】
また、前記電子機器は、前記通信部により行われる通話の通話内容を音声認識して文字に変換する音声認識変換部を備え、前記入力部は、前記音声認識変換部により変換された文字を入力文字として入力することが好ましい。
【００１１】
また、前記電子機器は、前記音声認識変換部により変換された文字を形態素解析して単語を抽出する抽出部を備え、前記入力部は、前記音声認識変換部により変換された文字のうち、前記抽出部により抽出された単語を入力文字として入力することが好ましい。
【００１２】
前記電子機器は、表示部と、前記表示部に表示されている表示と同一の表示を前記通信部により前記所定の通信先との間で通信を行う前記所定の通信先の電子機器が備える通信先表示部に連携して表示させる連携部と、を備え、前記制御部は、前記通信部により通話が継続している状態で、前記入力文字が入力された後に前記所定の機能が選択されて前記表示部に前記所定の機能が選択されたことに基づく表示が表示された場合に、前記所定の通信先の電子機器が備える前記通信先表示部に前記所定の機能が選択されたことに基づく表示を表示させるように前記連携部を制御することが好ましい。
【００１３】
また、前記所定の機能は、入力された入力文字に基づく処理が可能な複数の文字入力機能の中から選択された機能であり、前記制御部は、前記通信部により通信を行う通信先に応じて前記複数の文字入力機能として含まれる機能を変更させることが好ましい。
【００１４】
本発明に係る電子機器の制御方法は、上記課題を解決するために、他の通信先との間で通話による通信を行う通信工程と、文字を入力する入力工程と、機能を起動する起動工程と、前記通信工程により所定の通信先との間で通話が継続している状態で、前記入力工程により文字が入力文字として入力された後に、所定の機能が選択されると、前記入力文字を入力させた状態で前記起動工程により前記所定の機能を起動させる制御工程と、を備える。
【００１５】
本発明に係る制御プログラムは、上記課題を解決するために、他の通信先との間で通話による通信を行う通信工程と、文字を入力する入力工程と、機能を起動する起動工程と、前記通信工程により所定の通信先との間で通話が継続している状態で、前記入力工程により文字が入力文字として入力された後に、所定の機能が選択されると、前記入力文字を入力させた状態で前記起動工程により前記所定の機能を起動させる制御工程と、をコンピュータによって実現するためのものである。
【発明の効果】
【００１６】
本発明によれば、通話中に入力された文字を利用して機能を起動させることができる電子機器、その制御方法及び制御プログラムを提供することができる。
【図面の簡単な説明】
【００１７】
【図１】本実施形態に係る携帯電話機の外観斜視図である。
【図２】本実施形態に係る携帯電話機の機能を示す機能ブロック図である。
【図３】テレビ電話機能を起動している際における表示部の画面を示す図（１）である。
【図４】テレビ電話機能を起動している際における表示部の画面を示す図（２）である。
【図５】テレビ電話機能を起動している際における表示部の画面を示す図（３）である。
【図６】テレビ電話機能を起動している際における表示部の画面を示す図（４）である。
【図７】テレビ電話機能を起動している際における表示部の画面を示す図（５）である。
【図８】本実施形態に係る制御部の処理について示すフローチャートである。
【発明を実施するための形態】
【００１８】
以下、本発明の実施の形態について説明する。まず、本発明の電子機器の一実施形態に係る携帯電話機１の基本構造について、図１を参照しながら説明する。図１は、本実施形態に係る携帯電話機１の外観斜視図である。
【００１９】
携帯電話機１は、筺体２を備える。筺体２には、正面部に、タッチパネル１０と、マイク１３と、レシーバ１４と、撮像部１８と、が配置される。
【００２０】
タッチパネル１０は、表示部１１と、検出部１２とを備える（図２参照）。表示部１１は、液晶又は有機ＥＬ（エレクトロルミネッセンス）で構成される表示パネルである。検出部１２は、表示部１１に対する携帯電話機１のユーザの指やタッチペン等の物体の接触を検出する。検出部１２には、表示部１１の表面に対応して配され、例えば、静電容量方式や抵抗膜方式等が利用可能である。
【００２１】
マイク１３は、携帯電話機１のユーザが通話時に発した音声を入力するために用いられる。
レシーバ１４は、携帯電話機１のユーザの通話相手が発した音声を出力するために用いられる。
撮像部１８は、例えば、カメラモジュール等で構成され、テレビ電話機能を利用した通話時等に利用される。
【００２２】
続いて、図２を参照しながら、携帯電話機１の機能構成について説明する。図２は、携帯電話機１の機能構成を示すブロック図である。
【００２３】
携帯電話機１は、上述した、タッチパネル１０（表示部１１及び検出部１２）と、マイク１３と、レシーバ１４、撮像部１８とを備える。また、携帯電話機１は、通信部１５と、記憶部１６と、制御部１７とを備える。
【００２４】
通信部１５は、メインアンテナ（図示省略）とＲＦ回路部（図示省略）とを備え、所定の通信先に発信したり、通信したりする。通信部１５が発信する通信先は、例えば、警察や消防といった緊急連絡先である。また、通信部１５が通信を行う通信先は、携帯電話機１と電話やメールの送受信を行う外部装置や、携帯電話機１がインターネットの接続を行う外部のｗｅｂサーバ等の外部装置等である。
【００２５】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２６】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２７】
制御部１７は、携帯電話機１の全体を制御しており、表示部１１、検出部１２、マイク１３、レシーバ１４、通信部１５、記憶部１６等に対して制御を行う。例えば、通信部１５によりハンズフリー通話を行う際には、制御部１７は、通常の通話時よりもマイク１３の感度が高くなるように制御し、通常の通話時よりもレシーバ１４から出力される音量を大きくするように制御する。
【００２８】
また、ハンズフリー通話を行う場合に、撮像部１８によって撮像した自身の動画データを音声と共に通話相手の機器に送信し、同時に、通話相手の機器から送信されてきたデータに基づいて、通信相手の動画データを表示部に表示しつつ通信相手の音声をスピーカから出力することによりハンズフリー通話を行う。これにより、通話相手の顔を見ながら通話することができる（いわゆるテレビ電話機能）。なお、本実施形態の携帯電話機１は、上述したような通常の音声通話に限られず、パケット通信による音声通話や、アプリケーションによる音声通話等を用いてもよい。
【００２９】
本実施形態の記憶部１６及び制御部１７は、一般的なコンピュータによって構成してもよい。一般的なコンピュータは、例えば、制御部１７として、中央処理装置（ＣＰＵ）を備え、記憶部１６として、メモリ（ＲＡＭ、ＲＯＭ）や、ハードディスク（ＨＤＤ）等を備える。このような一般的なコンピュータにおいて、制御部１７は、携帯電話機１を統括的に制御し、各種プログラムを記憶部１６から適宜読み出して実行することにより、上述した表示部１１、検出部１２、マイク１３、レシーバ１４、通信部１５及び撮像部１８と協働し、本発明に係る各種機能を実現している。
【００３０】
また、制御部１７は、音声認識変換部１７１と、入力制御部１７２と、アプリケーション制御部１７３と、形態素抽出部１７４と、を備える。
【００３１】
音声認識変換部１７１は、通信部１５により行われる通話の通話内容を音声認識して、文字に変換する。具体的には、音声認識変換部１７１は、通信部１５から入力された通話の信号に対して音声認識処理を実行して、音声をテキスト化したテキスト情報を作成する。
【００３２】
入力制御部１７２は、検出部１２により検出された表示部１１に表示されたＱＷＥＲＴＹキー等のソフトウェアキーボードへの接触操作にしたがって、文字を入力する。また、入力制御部１７２は、ハンズフリー通話において、音声認識変換部１７１により変換された文字を入力してもよい。なお、以下の説明では、ハンズフリー通話を用いて音声認識変換部１７１により変換された文字が入力される場合について説明するが、本発明はこれに限定されず、表示部１１への接触操作等の操作部を用いて文字が入力されてもよい。ここで、本実施形態に係る文字とは、平仮名文字、片仮名文字、漢字だけでなく、数字、英字、記号、絵文字も含む。また、文字とは、単一の文字だけでなく、複数の文字としての文字列も含む。
【００３３】
図３は、本実施形態の携帯電話機１によりテレビ電話機能を起動している際における表示部１１の画面を示す図である。図３に示すように、制御部１７は、表示部１１の表示領域Ｄ１に通話相手Ｂの動画データを表示させ、表示領域Ｄ２に撮像部１８により撮像された携帯電話機１のユーザＡの動画データを表示させる。
【００３４】
また、制御部１７は、表示部１１の表示領域Ｄ３に音声認識変換部１７１、又は検出部１２により検出された表示部１１への接触操作に基づいて入力された文字を表示させる。また、制御部１７は、表示部１１の表示領域Ｄ４に文字を入力するためのソフトウェアキーボードを表示させてもよい。
【００３５】
アプリケーション制御部１７３は、通信部１５により所定の通信先との間で通話が継続している状態で、入力制御部１７２により文字が入力文字として入力される。そして、アプリケーション制御部１７３は、入力制御部１７２により入力文字が入力された後に、所定の機能が選択されると、入力文字を入力させた状態で所定の機能を起動させる。
【００３６】
形態素抽出部１７４は、音声認識変換部１７１により変換された文字を形態素解析して単語を抽出する。具体的には、形態素抽出部１７４は、音声認識変換部１７１により作成されたテキスト情報を形態素解析して、複数の単語を抽出する。
【００３７】
図４は、本実施形態の携帯電話機１によりテレビ電話機能を起動している際における表示部１１の画面を示す図である。図４に示すように、制御部１７は、表示部１１の表示領域Ｄ５に、形態素抽出部１７４により抽出されたユーザＡの通話内容に基づく複数の単語を表示する。また、制御部１７は、表示部１１の表示領域Ｄ６に、形態素解析された通話相手の通話内容に基づく複数の単語を表示する。また、表示領域Ｄ５及びＤ６に表示される複数の単語は、時系列が新しい順に上から下へスクロールされて表示される。
【００３８】
上述した所定の機能は、例えば、所定のデータを検索するための検索機能であってもよい。具体的には、検索機能としては、インターネット上で検索を行う機能、記憶部１６のデータフォルダ内のデータをキーワード用いて検索する機能、電子メールフォルダ内の電子メールを検索する電子メール検索機能等が挙げられる。
【００３９】
アプリケーション制御部１７３は、入力文字を入力させた状態で検索機能を起動させることにより、入力文字に基づいた検索を行わせる。そして、アプリケーション制御部１７３は、検索結果を通信部１５により通信を行う通話相手の端末に送信するように通信部１５を制御する。
【００４０】
具体的には、図５（Ａ）に示すように、接触操作等により表示領域Ｄ５の単語「ハスキー犬」が選択されると、アプリケーション制御部１７３は、表示領域Ｄ７に表示領域Ｄ５の単語に基づく検索を行うことができるアプリケーションを表示させる。具体的には、アプリケーション制御部１７３は、ブラウザアプリケーション、データフォルダ検索用のアプリケーション、電子メールアプリケーション、電話帳アプリケーションを起動させるためのアイコンを表示領域Ｄ７に表示させる。
【００４１】
例えば、接触操作等によりブラウザアプリケーションのアイコンが選択された場合には、アプリケーション制御部１７３は、ブラウザアプリケーションを起動し、ブラウザアプリケーションにより単語「ハスキー犬」についてのインターネット検索を実行する。そして、図５（Ｂ）に示すように、アプリケーション制御部１７３は、インターネット検索の結果を表示領域Ｄ８に表示させる。
【００４２】
さらに、図５（Ｃ）に示すように、アプリケーション制御部１７３は、検索結果を通信部１５により通信を行う通話相手の端末に送信するように通信部１５を制御して、通話相手の端末にはインターネット検索の結果が表示される。
【００４３】
このように、携帯電話機１は、通話中に入力された文字を用いて所定の機能を起動させることができるため、通話時におけるユーザの利便性を向上させることができる。
【００４４】
また、携帯電話機１は、通話中に操作部による操作、又は音声認識変換部１７１により入力された文字を用いて所定の機能を起動させることができる。
また、携帯電話機１は、音声認識変換部１７１により入力された文字を、形態素解析して抽出するため、所定の機能に用いることができる入力文字を好適に抽出できる。
【００４５】
また、携帯電話機１は、入力文字に基づく検索結果を通話相手の端末へ送信するため、ユーザは、ユーザ自身と通話相手とで入力文字に基づく検索結果を共有しつつ、通話することができるため、通話時におけるユーザの利便性をさらに向上させることができる。
【００４６】
また、アプリケーション制御部１７３は、検索アプリケーションにより検索されたデータの種類に応じて、検索結果をそれぞれ異なるデータ形式に変換して、通話相手の端末に送信するように通信部１５を制御してもよい。ここで、検索されるデータの種類としては、例えば、電子メールデータ、画像データ、電話帳データ、テキストデータ、ｈｔｍｌデータ等が挙げられる。また、変換されるデータ形式としては、例えば、電子メールデータには、ｔｘｔ．ｈｔｍｌ、画像データには、ＪＰＥＧ、ＰＮＧ、ＢＭＰ等、電話帳データには、Ｖｏｂｊｅｃｔ、テキストデータには、ｔｘｔ、ｈｔｍｌデータには、ｈｔｍｌ又はＵＲＬ等が挙げられる。
【００４７】
また、アプリケーション制御部１７３は、アプリケーションが変換されるデータ形式に対応していない場合には、携帯電話機１で起動しているアプリケーション（又は機能）の画面をキャプチャした画像データ（例えば、ＪＰＥＧ、ＰＮＧ、ＢＭＰ等）を通話相手の端末に送信するように通信部１５を制御してもよい。
【００４８】
これにより、携帯電話機１は、検索結果をそれぞれ異なる形式に変換して所定の通信先に送信するため、検索結果を通話相手の端末において好適に表示させることができる。
【００４９】
また、制御部１７は、表示部１１に表示されている表示と同一の表示を、通信部１５により通信を行う通話相手の端末の表示部に連携して表示させる連携部１７５を備えていてもよい。
【００５０】
アプリケーション制御部１７３は、通信部１５により所定の通信先との間で通話が継続している状態で、入力文字が入力された後に所定のアプリケーションが選択される。そして、アプリケーション制御部１７３は、表示部１１に所定のアプリケーションが選択されたことに基づく表示が表示された場合に、通話相手の端末の表示部に所定の機能が選択されたことに基づく表示を表示させるように、連携部１７５を制御する。
【００５１】
具体的には、図６（Ａ）に示すように、アプリケーション制御部１７３は、表示領域Ｄ５の単語「写真」が選択され、かつ表示領域Ｄ７に単語「写真」を検索するための機能（インターネット検索機能、電子メール検索機能、データフォルダ検索機能、電話帳検索機能）を起動するためのアイコンが表示されている。
【００５２】
また、連携部１７５は、表示領域Ｄ５に表示される複数の単語及び表示領域Ｄ７に表示されるアイコンに関連するデータを通話相手の端末へ送信する。そして、図６（Ｂ）に示すように、通話相手の端末は、携帯電話機１から送信された表示領域Ｄ５に表示される複数の単語及び表示領域Ｄ７に表示されるアイコンに関連するデータに基づいて、表示領域Ｄ５及びＤ７に表示されている表示と同一の表示を表示部に表示させる。なお、このような制御を行うために、携帯電話機１及び通話相手の端末は、互いに共通するアプリケーション及び一方の端末に表示されている表示を他方の端末に表示させるためのアプリケーションを有しているものとする。
【００５３】
これにより、携帯電話機１のユーザは、所定の機能が選択されたことに基づく表示を所定の通信相手の端末にも表示させることができ、ユーザ自身と通話相手とで所定の機能が選択されたことに基づく表示を共有しつつ、通話することができる。したがって、携帯電話機１は、通話時におけるユーザの利便性をさらに向上させることができる。
【００５４】
ここで、所定の機能は、入力された入力文字に基づく処理が可能な複数の文字入力機能の中から選択された機能であってもよい。そして、アプリケーション制御部１７３は、通信部１５により通信を行う通信先（通話相手の端末）に応じて複数の文字入力機能として含まれる機能や表示の優先順位を変更させる。図７に示すように、表示領域Ｄ７に表示されるアイコンにおいて、データフォルダ検索の表示がインターネット検索の表示より優先されている。
【００５５】
具体的には、アプリケーション制御部１７３は、音声通話の履歴に基づいて複数の文字入力機能の優先順位を決定し、決定した優先順位にしたがって複数の文字入力機能の表示順位を変更させる。例えば、アプリケーション制御部１７３は、テレビ電話機能の音声通話のデータ中に通話相手の属性（例えば、プロフィール等）が付加されている場合には、その通話相手と文字入力機能を用いて連携した回数をカウントし、回数の多い文字入力機能の優先順位を高く設定する。また、アプリケーション制御部１７３は、単語と文字入力機能を予め対応付けたテーブルを記憶部１６に記憶しておくことにより、表示領域Ｄ５の単語ごとに複数の文字入力機能の表示順位を変更させてもよい。さらに、アプリケーション制御部１７３は、音声通話の履歴及び表示領域Ｄ５の各単語の両方に基づいて、複数の文字入力機能の表示順位を変更させてもよい。
【００５６】
これにより、携帯電話機１は、通話相手に応じて複数の文字入力機能に含まれる機能を変更させるため、適切な機能を通話相手の端末に表示させることができ、通話相手のユーザの利便性をさらに向上させることができる。
【００５７】
図８は、本実施形態に係る制御部１７の処理について示すフローチャートである。
ステップＳ１において、制御部１７は、テレビ電話機能を起動し、通話相手の端末とテレビ電話による通話を行う。
【００５８】
ステップＳ２において、音声認識変換部１７１は、通話の通話内容を音声認識して、文字に変換する。
【００５９】
ステップＳ３において、形態素抽出部１７４は、音声認識変換部１７１により変換された文字を形態素解析して単語を抽出する。
【００６０】
ステップＳ４において、アプリケーション制御部１７３は、形態素抽出部１７４により抽出された複数の単語及び形態素解析された通話相手の通話内容に基づく複数の単語を表示部１１に表示させる。
【００６１】
ステップＳ５において、アプリケーション制御部１７３は、複数の単語のいずれかが選択されたか否かを判定する。複数の単語のいずれかが選択された場合（ＹＥＳ）には、ステップＳ６へ進む。複数の単語が選択されなかった場合（ＮＯ）には、ステップＳ５の処理を繰り返す。
【００６２】
ステップＳ６において、アプリケーション制御部１７３は、所定のデータを検索するための検索機能や、複数の文字入力機能の中から選択された機能等を含む所定の機能を起動するためのアイコン等を表示部１１へ表示させる。また、アプリケーション制御部１７３は、所定の機能に優先順位が設定されている場合には、優先順位に基づいてアイコン等を表示部１１へ表示させる。
【００６３】
ステップＳ７において、アプリケーション制御部１７３は、選択された単語を入力文字として入力させた状態で、所定の機能を起動する。
【００６４】
ステップＳ８において、アプリケーション制御部１７３は、起動した所定の機能により入力文字に基づいた検索を行わせる。
【００６５】
ステップＳ９において、アプリケーション制御部１７３は、検索されたデータの種類に応じて、検索結果をそれぞれ異なるデータ形式に変換する。
【００６６】
ステップＳ１０において、アプリケーション制御部１７３は、変換された検索結果を通話相手の端末に送信する。
【００６７】
ステップＳ１１において、アプリケーション制御部１７３は、検索結果を表示部１１に表示させる。
【００６８】
以上、本発明の実施形態について説明したが、本発明は上述した実施形態に制限されるものではなく、適宜変更が可能である。
【００６９】
また、上述した実施形態において、電子機器としての携帯電話機１について説明したが、他の電子機器にも適用可能である。例えば、本発明の携帯電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【００７０】
また、上述した携帯電話機１は、いわゆるストレートタイプの携帯電話機の形態を示しているが、携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）でもよい。また、携帯電話機は、上述したタッチパネルを有するものに限定されず、例えば、入力部（操作部）として物理的なキーを有し、この物理的なキーの操作により操作が可能な携帯電話機であってもよい。
【符号の説明】
【００７１】
１  携帯電話機（電子機器）
１１  表示部
１２  検出部
１５  通信部
１６  記憶部
１７  制御部
１７１  音声認識変換部
１７２  入力制御部（入力部）
１７３  アプリケーション制御部
１７４  形態素抽出部
１７５  連携部
【図１】
0005755944.tif 000002
【図２】
0005755944.tif 000003
【図３】
0005755944.tif 000004
【図４】
0005755944.tif 000005
【図５】
0005755944.tif 000006
【図６】
0005755944.tif 000007
【図７】
0005755944.tif 000008
【図８】
0005755944.tif 000009